(57)【要約】【課題】  移動体の３軸の加速度の情報を統合して表示する。【解決手段】  運動情報表示システムは、移動体１に搭載された３軸の加速度センサ３と、遠隔操作装置６側の表示制御装置８と表示部９とを備える。表示制御装置８は表示部９の画面に設定した二次元座標１３に、加速度情報マーク１１を表示する。その際、表示制御装置８は、加速度情報マーク１１の中心の位置を、原点に対して、加速度センサ３で検出される移動体１のスウェイ加速度Ａ、および、ヒーブ加速度Ｂの方向とは逆方向にシフトさせる。表示制御装置８は、加速度情報マーク１１のサイズを、加速度センサ３で移動体１の前向きの加速度が検出される場合は拡大し、後向きの加速度が検出される場合は縮小する。オペレータは、表示部９の画面に表示された加速度情報マーク１１を目視し、その中心位置の原点に対する相対的な配置と、サイズを基に、移動体１の３軸の加速度を把握できる。【選択図】図１
2019036025.tif 000002
【特許請求の範囲】
【請求項１】
移動体に、
前記移動体の３軸の加速度を検出する加速度センサと、
通信装置と、を備え、
前記移動体の遠隔操作装置に、
前記移動体の前記通信装置との通信を行う通信装置と、
表示制御装置と、
表示部と、を備え、
前記表示制御装置は、加速度情報表示機能として、
前記表示部の画面に、加速度情報マークを表示する機能と、
前記表示部の画面に設定された二次元座標にて、前記加速度情報マークの中心の位置を、前記加速度センサで検出される前記移動体の左右方向の加速度に対応してＸ軸方向に変位させる機能と、
前記表示部の画面に設定された前記二次元座標にて、前記加速度情報マークの中心の位置を、前記加速度センサで検出される前記移動体の上下方向の加速度に対応してＹ軸方向に変位させる機能と、
前記表示部の画面に表示する前記加速度情報マークのサイズを、前記加速度センサで検出される前記移動体の前後方向の加速度に対応して拡大、縮小する機能と、を備えること
を特徴とする移動体の運動情報表示システム。
【請求項２】
前記表示制御装置の前記加速度情報表示機能は、
前記表示部の画面に設定された前記二次元座標にて、前記加速度情報マークの中心の位置を、前記加速度センサで前記移動体の左向きの加速度が検出されるときには、Ｘ軸の正の方向に変位させ、前記加速度センサで前記移動体の右向きの加速度が検出されるときには、Ｘ軸の負の方向に変位させる機能と、
前記表示部の画面に設定された前記二次元座標にて、前記加速度情報マークの中心の位置を、前記加速度センサで前記移動体の下向きの加速度が検出されるときには、Ｙ軸の正の方向に変位させ、前記加速度センサで前記移動体の上向きの加速度が検出されるときには、Ｙ軸の負の方向に変位させる機能と、
前記表示部の画面に表示する前記加速度情報マークを、前記加速度センサで前記移動体の前向きの加速度が検出されるときには、サイズを拡大し、前記加速度センサで前記移動体の後向きの加速度が検出されるときには、サイズを縮小する機能と、を備える
請求項１記載の移動体の運動情報表示システム。
【請求項３】
前記移動体に、
前記移動体のヨー角方向の角速度とピッチ角方向の角速度を検出する角速度センサを備え、
前記表示制御装置は、角速度情報表示機能として、
前記角速度センサで検出された前記移動体のヨー角方向の角速度とピッチ角方向の角速度とを合成して前記移動体の回頭方向、および、該回頭方向の角速度を求める機能と、
得られた前記回頭方向とその角速度の大きさに対応して、前記加速度情報表示機能で中心の位置とサイズが設定された前記加速度情報マークに接する位置と、該加速度情報マークに対する扁平する量が定められた角速度情報マークを生成する機能と、
生成された前記角速度情報マークを、前記加速度情報マークに付属させて、前記表示部の画面に表示する機能と、を備える
請求項１または２記載の移動体の運動情報表示システム。
【請求項４】
前記移動体に備える前記角速度センサが、前記移動体のロール角方向の角速度を検出する機能を備え、
前記表示制御装置の角速度情報表示機能は、前記表示部の画面に、前記角速度センサで検出された前記移動体のロール角方向の角速度に対応して角度姿勢が変化する別の角速度情報マークを表示する機能を備えた
請求項３記載の移動体の運動情報表示システム。
【発明の詳細な説明】
【技術分野】
【０００１】
本発明は、移動体の３軸の加速度（サージ加速度、スウェイ加速度、ヒーブ加速度）を含む運動情報を表示する移動体の運動情報表示システムに関するものである。
【背景技術】
【０００２】
移動体の遠隔操作方法としては、移動体に搭載した撮像装置により移動体前方の環境を撮像して遠隔地のオペレータに送信し、オペレータ側では移動体より受信した画像情報をモニタに表示して、この画像を目視しながらジョイスティック、十字キー等の操作部にて移動体の目標速度、方向等を指令する手法が多く採用されている。
【０００３】
また、移動体に搭載されたセンサによって取得した情報を、前記モニタに表示することも提案されている（たとえば、特許文献１参照）。
【０００４】
なお、遠隔操作方式の移動体としては、陸上を移動する形式の移動体のほかに、ＲＯＶ（Remotely operated vehicle）といわれる水中を遊泳する形式の移動体や、無人航空機やドローンといわれる空中を飛行する形式の移動体が知られている。
【先行技術文献】
【特許文献】
【０００５】
【特許文献１】特開２００６−１１３８５８号公報
【発明の概要】
【発明が解決しようとする課題】
【０００６】
ところで、遠隔操作方式の移動体のうち、特許文献１に示されているような陸上を移動する形式の移動体は、地面や床面に常に接していて、この地面や床面との摩擦を利用して、静止状態における位置保持、および、前進、後退、左右への旋回などの移動を行っている。
【０００７】
そのため、陸上を移動する形式の移動体の場合は、その使用環境に気流が存在していても、その気流が外乱として作用して、移動体に意図しない前後方向や左右方向の加速度が生じることは少ない。したがって、陸上を移動する形式の移動体は、意図しない加速度の影響で、移動体が目標位置から前後方向や、左右方向にずれるということはほとんどない。
【０００８】
そのため、陸上を移動する形式の移動体の遠隔操作では、移動体に生じる加速度の情報はそれほど重要な意味を持たない。
【０００９】
これに対し、水中を遊泳する形式の移動体や、空中を飛行する形式の移動体は、使用環境に存在する流体の流れである水流や気流の影響を外乱として受けると、遠隔操作による移動体のホバリングによる定点保持中や、移動中であっても、移動体には、意図しない左右方向、上下方向、前後方向の加速度が生じたり、加速度の変化が生じたりすることがある。このような意図しない加速度の発生や、加速度の変化の発生は、移動体の位置や運動の制御性の低下につながる。
【００１０】
そのため、水中を遊泳する形式の移動体や、空中を飛行する形式の移動体のような３次元空間を移動する移動体については、移動体に生じる３軸の加速度（サージ加速度、スウェイ加速度、ヒーブ加速度）を知ることが、遠隔操作によって移動体の位置や運動を制御する場合に重要になる。
【００１１】
なお、移動体に加速度センサを搭載して３軸の加速度（サージ加速度、スウェイ加速度、ヒーブ加速度）を検出し、その検出結果を遠隔操作装置側で、個々に数値で表示するようにすれば、オペレータが、移動体に生じる左右方向、上下方向、前後方向の各加速度を知ることはできると考えられる。
【００１２】
しかし、移動体の左右方向、上下方向、前後方向の各加速度について、個々の数値を単に表示する構成では、オペレータは、移動体の遠隔操作を行いながら、表示された３つの数値を読み取る必要が生じてしまう。更に、オペレータは、読み取った３つの数値を基に、３軸の加速度（サージ加速度、スウェイ加速度、ヒーブ加速度）の合成によって移動体に作用する影響を推定しなければならない。
【００１３】
そこで、本発明は、３次元空間を移動する移動体について、移動体の３軸の加速度（サージ加速度、スウェイ加速度、ヒーブ加速度）の情報を、数値に依らずに統合して表示することができる、移動体の運動情報表示システムを提供しようとするものである。
【課題を解決するための手段】
【００１４】
本発明は、前記課題を解決するために、移動体に、前記移動体の３軸の加速度を検出する加速度センサと、通信装置と、を備え、前記移動体の遠隔操作装置に、前記移動体の前記通信装置との通信を行う通信装置と、表示制御装置と、表示部と、を備え、前記表示制御装置は、加速度情報表示機能として、前記表示部の画面に、加速度情報マークを表示する機能と、前記表示部の画面に設定された二次元座標にて、前記加速度情報マークの中心の位置を、前記加速度センサで検出される前記移動体の左右方向の加速度に対応してＸ軸方向に変位させる機能と、前記表示部の画面に設定された前記二次元座標にて、前記加速度情報マークの中心の位置を、前記加速度センサで検出される前記移動体の上下方向の加速度に対応してＹ軸方向に変位させる機能と、前記表示部の画面に表示する前記加速度情報マークのサイズを、前記加速度センサで検出される前記移動体の前後方向の加速度に対応して拡大、縮小する機能と、を備える移動体の運動情報表示システムとする。
【００１５】
前記表示制御装置の前記加速度情報表示機能は、前記表示部の画面に設定された前記二次元座標にて、前記加速度情報マークの中心の位置を、前記加速度センサで前記移動体の左向きの加速度が検出されるときには、Ｘ軸の正の方向に変位させ、前記加速度センサで前記移動体の右向きの加速度が検出されるときには、Ｘ軸の負の方向に変位させる機能と、前記表示部の画面に設定された前記二次元座標にて、前記加速度情報マークの中心の位置を、前記加速度センサで前記移動体の下向きの加速度が検出されるときには、Ｙ軸の正の方向に変位させ、前記加速度センサで前記移動体の上向きの加速度が検出されるときには、Ｙ軸の負の方向に変位させる機能と、前記表示部の画面に表示する前記加速度情報マークを、前記加速度センサで前記移動体の前向きの加速度が検出されるときには、サイズを拡大し、前記加速度センサで前記移動体の後向きの加速度が検出されるときには、サイズを縮小する機能と、を備える構成としてある。
【００１６】
前記移動体に、前記移動体のヨー角方向の角速度とピッチ角方向の角速度を検出する角速度センサを備え、前記表示制御装置は、角速度情報表示機能として、前記角速度センサで検出された前記移動体のヨー角方向の角速度とピッチ角方向の角速度とを合成して前記移動体の回頭方向、および、該回頭方向の角速度を求める機能と、得られた前記回頭方向とその角速度の大きさに対応して、前記加速度情報表示機能で中心の位置とサイズが設定された前記加速度情報マークに接する位置と、該加速度情報マークに対する扁平する量が定められた角速度情報マークを生成する機能と、生成された前記角速度情報マークを、前記加速度情報マークに付属させて、前記表示部の画面に表示する機能と、を備える構成としてある。
【００１７】
前記移動体に備える前記角速度センサが、前記移動体のロール角方向の角速度を検出する機能を備え、前記表示制御装置の角速度情報表示機能は、前記表示部の画面に、前記角速度センサで検出された前記移動体のロール角方向の角速度に対応して角度姿勢が変化する別の角速度情報マークを表示する機能を備えた構成としてある。
【発明の効果】
【００１８】
本発明の移動体の運動情報表示システムによれば、移動体の３軸の加速度の情報を、数値に依らずに統合して表示することができる。
【図面の簡単な説明】
【００１９】
【図１】移動体の運動情報表示システムの実施形態を示す概略図である。
【図２】移動体の左右方向、上下方向、前後方向の加速度がすべてゼロの場合の表示部の表示例を示す図である。
【図３】移動体の左右方向の加速度が検出された場合の表示部の表示例を示す図である。
【図４】移動体の上下方向の加速度が検出された場合の表示部の表示例を示す図である。
【図５】移動体の左右方向の加速度および上下方向の加速度が検出された場合の表示部の表示例を示す図である。
【図６】移動体の前後方向の加速度が検出された場合の表示部の表示例を示すもので、表示部の画面の一部を示す図である。
【図７】移動体のヨー角方向の角速度と、ピッチ角方向の角速度が検出された場合の表示部の表示例を示すもので、表示部の画面の一部を示す図である。
【図８】移動体のロール角方向の角速度が検出された場合の表示部の表示例を示す図である。
【発明を実施するための形態】
【００２０】
以下、本発明を実施するための形態を図面を参照して説明する。
【００２１】
図１乃至図８は、本発明の移動体の運動情報表示システムの実施形態として、水中を遊泳する形式の移動体と、移動体の遠隔操作を行う遠隔操作装置を備える構成に適用した例を示すものである。
【００２２】
図１は、本実施形態の移動体の運動情報表示システムを示すもので、図１（ａ）は全体の構成を示す概略図、図１（ｂ）は、表示部の画面に表示される情報を示す概要図である。
【００２３】
図２は、移動体の左右方向、上下方向、前後方向の加速度がゼロの場合に表示部に表示される情報を示す図である。図３は、移動体に左右方向の加速度が生じている場合に表示部に表示される情報を示すもので、図３（ａ）は、左向きの加速度が生じている状態を示す図、図３（ｂ）は、右向きの加速度が生じている状態を示す図である。図４は、移動体に上下方向の加速度が生じている場合に表示部に表示される情報を示すもので、図４（ａ）は、下向きの加速度が生じている状態を示す図、図４（ｂ）は、上向きの加速度が生じている状態を示す図である。図５は、移動体に左右方向の加速度と上下方向の加速度が共に生じている場合に、表示部に表示される情報の一例を示す図である。図６は、移動体に前後方向の加速度が生じている場合に表示部に表示される情報を、表示部の画面の一部を切り出して示すもので、図６（ａ）は、前向きの加速度が生じている状態を示す図、図６（ｂ）は、後向きの加速度が生じている状態を示す図である。図７は、移動体にヨー角方向の角速度と、ピッチ角方向の角速度が生じている場合に表示部の表示される情報を、表示部の画面の一部を切り出して示すもので、図７（ａ）は、ヨー角方向の角速度とピッチ角方向の角速度が合成された角速度が生じている状態を示す図、図７（ｂ）は、ヨー角方向の角速度のみが生じている状態を示す図、図７（ｃ）は、ピッチ角方向の角速度のみが生じている状態を示す図である。図８は、移動体にロール角方向の角速度が生じている場合に表示部に表示される情報を示す図である。
【００２４】
本実施形態の移動体の運動情報表示システムは、図１（ａ）に示すように、水中を遊泳する形式の移動体１の機体２に、加速度センサ３と、角速度センサ４と、通信装置５とを備え、移動体１の遠隔操作を行う遠隔操作装置６に、通信装置７と、表示制御装置８と、表示部９とを備えた構成とされている。更に、表示制御装置８は、図１（ｂ）に示すように、表示部９の画面に、移動体１の運動情報を示すマークとしての加速度情報マーク１１と、角速度情報マーク１２ａ，１２ｂを表示させる機能を備えている。
【００２５】
移動体１は、前後方向であるロール軸方向、左右方向であるピッチ軸方向、上下方向であるヨー軸方向が定められた機体２を備えている。
【００２６】
加速度センサ３は、移動体１の機体２に搭載されて、移動体１の左右方向の加速度であるスウェイ加速度Ａと、上下方向の加速度であるヒーブ加速度Ｂと、前後方向の加速度であるサージ加速度Ｃを検出する機能を備えている。
【００２７】
角速度センサ４は、移動体１の機体２に搭載されて、移動体１のヨー角方向の角速度であるヨー角速度Ｄと、ピッチ角方向の角速度であるピッチ角速度Ｅと、ロール角方向の角速度であるロール角速度Ｆを検出する機能を備えている。
【００２８】
なお、加速度センサ３は、スウェイ加速度Ａとヒーブ加速度Ｂとサージ加速度Ｃについて、すべてを検出する３軸の加速度センサを用いてもよいし、個別に検出する１軸の加速度センサを３つ組み合わせて用いてもよいし、任意の２軸の加速度センサと残る１軸の加速度センサとを組み合わせて用いてもよい。
【００２９】
角速度センサ４は、ヨー角速度Ｄとピッチ角速度Ｅとロール角速度Ｆについて、すべてを検出する３軸の角速度センサを用いてもよいし、個別に検出する１軸の角速度センサを３つ組み合わせて用いてもよいし、任意の２軸の角速度センサと残る１軸の角速度センサとを組み合わせて用いてもよい。
【００３０】
また、説明の便宜上、加速度センサ３と角速度センサ４は別に記載しているが、加速度センサ３と角速度センサ４は、いわゆる６軸センサとして一体化されていてもよいし、それぞれの検出対象であるスウェイ加速度Ａ、ヒーブ加速度Ｂ、サージ加速度Ｃと、ヨー角速度Ｄ、ピッチ角速度Ｅ、ロール角速度Ｆとを、任意の組み合わせで検出する形式のセンサを用いるようにしてもよい。したがって、加速度センサ３と角速度センサ４は、合計で１個から６個までのセンサ数を取り得る。
【００３１】
移動体１の機体２に備えた通信装置５は、加速度センサ３と角速度センサ４に接続されている。更に、通信装置５は、ケーブル１０を介して、遠隔操作装置６に備えた通信装置７に有線接続されている。この状態で、通信装置５は、加速度センサ３で検出されたスウェイ加速度Ａ、ヒーブ加速度Ｂ、サージ加速度Ｃの検出結果の信号と、角速度センサ４で検出されたヨー角速度Ｄ、ピッチ角速度Ｅ、ロール角速度Ｆの検出結果の信号とを受け取ると、受け取った信号を、遠隔操作装置６側の通信装置７へ送る機能を備えている。
【００３２】
遠隔操作装置６の通信装置７は、通信装置５からスウェイ加速度Ａ、ヒーブ加速度Ｂ、サージ加速度Ｃの信号、および、ヨー角速度Ｄ、ピッチ角速度Ｅ、ロール角速度Ｆの信号を受け取ると、受け取った信号を、表示制御装置８へ送る機能を備えている。
【００３３】
表示部９は、いわゆるディスプレイ（モニタ）であり、表示制御装置８から受け取る表示指令Ｇに従い、表示を行う機能を備えている。
【００３４】
次に、表示制御装置８の機能の説明と共に、本実施形態の移動体の運動情報表示システムの作用、効果について説明する。
【００３５】
表示制御装置８は、移動体１の運動状態に関連しない基本的な機能として、表示部９に、図１（ｂ）に示すように、画面に二次元座標１３と、基準マークとしての基準円１４とを表示する表示指令Ｇを与える機能を備えている。
【００３６】
表示部９の画面に表示させる二次元座標１３は、図１（ｂ）の図面上、左右方向の軸はＸ軸、上下方向の軸はＹ軸とする。Ｘ軸に沿う方向は、移動体１の機体２の左右方向に対応している。Ｙ軸に沿う方向は、機体２の上下方向に対応している。なお、これらの対応の具体的な内容については後述する。また説明の便宜上、表示部９の画面に表示される二次元座標１３については、画面の実際の向きや角度姿勢に関わらず、Ｘ軸の正の方向を右方向、負の方向の左方向といい、Ｙ軸の正の方向を上方向、負の方向を下方向という。
【００３７】
表示部９の画面に表示させる基準円１４は、二次元座標１３の原点を中心とし、設定された半径寸法ｒの円であり、後述する加速度情報マーク１１および角速度情報マーク１２ａ，１２ｂとは識別可能な色や線種に設定されている。なお、図１（ｂ）では、図示する便宜上、基準円は二点鎖線で示してある（以降の各図においても同様）。
【００３８】
表示制御装置８は、更に、移動体１の運動状態に関連する加速度情報表示機能および角速度情報表示機能を備えている。
【００３９】
ここで、先ず、表示制御装置８における加速度情報表示機能について説明する。
【００４０】
表示制御装置８は、加速度情報表示機能では、通信装置７を介して受け取るスウェイ加速度Ａ、ヒーブ加速度Ｂ、サージ加速度Ｃの信号を基に、以下の第１から第５の制御ルールに従って、加速度情報マーク１１の位置とサイズを設定する。更に、表示制御装置８は、加速度情報マーク１１の位置とサイズの設定が終了すると、表示部９に、加速度情報マーク１１を設定された位置とサイズで画面に表示する表示指令Ｇを与えるようにしてある。
【００４１】
第１の制御ルールでは、表示制御装置８は、スウェイ加速度Ａ、ヒーブ加速度Ｂの信号の値が共にゼロの場合は、図２に示すように、加速度情報マーク１１の中心の位置を、二次元座標の原点に設定する。
【００４２】
第２の制御ルールでは、表示制御装置８は、サージ加速度Ｃの信号の値がゼロの場合は、図２に示すように、加速度情報マーク１１の形状を、半径寸法ｒの円に設定する。
【００４３】
したがって、スウェイ加速度Ａ、ヒーブ加速度Ｂ、サージ加速度Ｃの信号の値がすべてゼロの場合は、表示制御装置８は、前記第１の制御ルールと第２の制御ルールの双方に従うことにより、図２に示すように、加速度情報マーク１１を、二次元座標１３の原点を中心とする半径寸法ｒの円に設定する。
【００４４】
したがって、この場合は、表示制御装置８からの表示指令Ｇに従い、表示部９では、図２に示すように、画面に、加速度情報マーク１１が基準円１４に重なる状態で表示される。
【００４５】
よって、表示部９の画面にて、加速度情報マーク１１が基準円１４に重なって表示されている場合は、移動体１について、スウェイ加速度Ａ、ヒーブ加速度Ｂ、サージ加速度Ｃのいずれもが生じていないということが分かる。
【００４６】
第３の制御ルールでは、表示制御装置８は、スウェイ加速度Ａの信号を基に、左向きの加速度が検出されている場合には、加速度情報マーク１１の中心の位置を、図３（ａ）に示すように、二次元座標１３の原点よりも右方向となる位置にシフトさせる。また、表示制御装置８は、スウェイ加速度Ａの信号を基に、右向きの加速度が検出されている場合は、加速度情報マーク１１の中心の位置を、図３（ｂ）に示すように、二次元座標１３の原点よりも左方向となる位置にシフトさせる。
【００４７】
なお、図３（ａ）（ｂ）は、サージ加速度Ｃの信号の値がゼロの場合、すなわち、表示制御装置８では、前記第２の制御ルールに従い、加速度情報マーク１１の形状が、半径寸法ｒの円に設定された状態を示している。
【００４８】
この際、表示制御装置８では、図３（ａ）（ｂ）に示すように、予め、二次元座標１３のＸ軸上に、表示を望む左向きの加速度の最大値ＬＭの表示位置と、表示を望む右向きの加速度の最大値ＲＭの表示位置を設定しておく。
【００４９】
この状態で、左向きの加速度がゼロからＬＭの間の値Ｌａで検出されている場合は、表示制御装置８は、Ｌａ／ＬＭの値と、（原点から加速度情報マーク１１の中心の位置までの距離）／（原点からＬＭまでの距離）の値が一致するように、加速度情報マーク１１の中心の位置を定めるようにしてある。
【００５０】
同様に、右向きの加速度がゼロからＲＭの間の値Ｒａで検出されている場合は、表示制御装置８は、Ｒａ／ＲＭの値と、（原点から加速度情報マーク１１の中心の位置までの距離）／（原点からＲＭまでの距離）の値が一致するように、加速度情報マーク１１の中心の位置を定めるようにしてある。
【００５１】
なお、スウェイ加速度Ａについて、前記のように表示を望む左向きの加速度の最大値ＬＭ、および、右向きの加速度の最大値ＲＭの表示位置を設定するのは、加速度情報マーク１１が、表示部９の画面の右端付近や左端付近の視認しにくい位置まで変位したり、画面に表示可能な範囲から左右方向へ逸脱したりすることを防ぐためである。
【００５２】
したがって、この場合は、表示制御装置８からの表示指令Ｇに従い、表示部９では、図３（ａ）または図３（ｂ）に示すように、画面に、加速度情報マーク１１が、加速度情報マーク１１の中心の位置が原点よりも右方向または左方向に、前記所定の変位量でシフトした状態で表示される。
【００５３】
よって、表示部９の画面にて、図３（ａ）に示すように、加速度情報マーク１１の中心の位置が二次元座標１３の原点よりも右側に位置している場合は、移動体１に左向きの加速度が生じていることが分かる。更に、図３（ａ）の表示からは、加速度情報マーク１１の中心の位置が二次元座標１３の原点から右側へシフトしている量の大小に応じて、移動体１に生じている左向きの加速度の大きさを推定することが可能になる。
【００５４】
また、表示部９の画面にて、図３（ｂ）に示すように、加速度情報マーク１１の中心の位置が二次元座標１３の原点よりも左側に位置している場合は、移動体１に右向きの加速度が生じていることが分かる。更に、図３（ｂ）の表示からは、加速度情報マーク１１の中心の位置が二次元座標１３の原点から左側へシフトしている量の大小に応じて、移動体１に生じている右向きの加速度の大きさを推定することが可能になる。
【００５５】
第４の制御ルールでは、表示制御装置８は、ヒーブ加速度Ｂの信号を基に、下向きの加速度が検出されている場合には、加速度情報マーク１１の中心の位置を、図４（ａ）に示すように、二次元座標１３の原点よりも上方向となる位置にシフトさせる。また、表示制御装置８は、ヒーブ加速度Ｂの信号を基に、上向きの加速度が検出されている場合は、加速度情報マーク１１の中心の位置を、図４（ｂ）に示すように、二次元座標１３の原点よりも下方向となる位置にシフトさせる。
【００５６】
なお、図４（ａ）（ｂ）は、サージ加速度Ｃの信号の値がゼロの場合、すなわち、表示制御装置８では、前記第２の制御ルールに従い、加速度情報マーク１１の形状が、半径寸法ｒの円に設定された状態を示している。
【００５７】
この際、表示制御装置８では、図４（ａ）（ｂ）に示すように、予め、二次元座標１３のＹ軸上に、表示を望む下向きの加速度の最大値ＤＭの表示位置と、表示を望む上向きの加速度の最大値ＵＭの表示位置を設定しておく。
【００５８】
この状態で、下向きの加速度がゼロからＤＭの間の値Ｄａで検出されている場合は、表示制御装置８は、Ｄａ／ＤＭの値と、（原点から加速度情報マーク１１の中心の位置までの距離）／（原点からＤＭまでの距離）の値が一致するように、加速度情報マーク１１の中心の位置を定めるようにしてある。
【００５９】
同様に、上向きの加速度がゼロからＵＭの間の値Ｕａで検出されている場合は、表示制御装置８は、Ｕａ／ＵＭの値と、（原点から加速度情報マーク１１の中心の位置までの距離）／（原点からＵＭまでの距離）の値が一致するように、加速度情報マーク１１の中心の位置を定めるようにしてある。
【００６０】
なお、ヒーブ加速度Ｂについて、前記のように表示を望む下向きの加速度の最大値ＤＭ、および、上向きの加速度の最大値ＵＭの表示位置を設定するのは、加速度情報マーク１１の中心の位置を二次元座標１３の原点から上方向や下方向へシフトさせるときの変位量に上限を設けることで、加速度情報マーク１１が、表示部９の画面の上端付近や下端付近の視認しにくい位置まで変位したり、画面に表示可能な範囲から上下方向に逸脱したりすることを防ぐためである。
【００６１】
したがって、この場合は、表示制御装置８からの表示指令Ｇに従い、表示部９では、図４（ａ）または図４（ｂ）に示すように、画面に、加速度情報マーク１１が、加速度情報マーク１１の中心の位置が原点よりも上方向または下方向に、前記所定の変位量でシフトした状態で表示される。
【００６２】
よって、表示部９の画面にて、図４（ａ）に示すように、加速度情報マーク１１の中心の位置が二次元座標１３の原点よりも上側に位置している場合は、移動体１に下向きの加速度が生じていることが分かる。更に、図４（ａ）の表示からは、加速度情報マーク１１の中心の位置が二次元座標１３の原点から上側へシフトしている量の大小に応じて、移動体１に生じている下向きの加速度の大きさを推定することが可能になる。
【００６３】
また、表示部９の画面にて、図４（ｂ）に示すように、加速度情報マーク１１の中心の位置が二次元座標１３の原点よりも下側に位置している場合は、移動体１に上向きの加速度が生じていることが分かる。更に、図４（ｂ）の表示からは、加速度情報マーク１１の中心の位置が二次元座標１３の原点から下側へシフトしている量の大小に応じて、移動体１に生じている上向きの加速度の大きさを推定することが可能になる。
【００６４】
ところで、移動体１については、スウェイ加速度Ａと、ヒーブ加速度Ｂとが共に検出される場合がある。この場合、表示制御装置８は、前記第３の制御ルールと第４の制御ルールの双方に従うことで、図５に示すように、二次元座標１３にて、前記した第３の制御ルールで定められる原点から左右方向へシフトした位置をＸ座標の値とし、第４の制御ルールで定められる原点から上下方向にシフトした位置をＹ座標の値とする位置に、加速度情報マーク１１の中心の位置を定める。
【００６５】
なお、図５では、一例として、移動体１にて、左向きの加速度が値Ｌａで検出され、下向きの加速度がＤａで検出された場合に、表示制御装置８により、加速度情報マーク１１の中心の位置が座標（Ｌａ，Ｄａ）に設定された場合を示している。
【００６６】
また、図５では、サージ加速度Ｃの信号の値がゼロの場合、すなわち、表示制御装置８では、前記第２の制御ルールに従い、加速度情報マーク１１の形状が、半径寸法ｒの円に設定された状態を示している。
【００６７】
第５の制御ルールでは、表示制御装置８は、サージ加速度Ｃの信号を基に、前向きの加速度が検出されている場合には、図６（ａ）に示すように、前記した第１の制御ルール、または、第３の制御ルールと第４の制御ルールに従って加速度情報マーク１１の中心の位置が決められた状態で、加速度情報マーク１１を、半径寸法ｒの基準円１４（図１（ｂ）参照）よりも拡大された半径寸法の円に設定する。また、表示制御装置８は、サージ加速度Ｃの信号を基に、後向きの加速度が検出されている場合は、前記と同様に中心の位置が決められた状態の加速度情報マーク１１を、図６（ｂ）に示すように、半径寸法ｒの基準円１４（図１（ｂ）参照）よりも縮小された半径寸法の円に設定する。
【００６８】
なお、表示制御装置８で第５の制御ルールを実施するときには、加速度情報マーク１１の中心の位置は、前記した第１の制御ルール、または、第３の制御ルールと第４の制御ルールのいずれに従うかによって変化する。図６（ａ）（ｂ）では、このように変化する加速度情報マーク１１の中心の位置を、代表して座標（ｘ，ｙ）で示すと共に、表示部９の画面における座標（ｘ，ｙ）の周辺となる部分のみを、切り出して図示してある。また、図６（ａ）（ｂ）では、加速度情報マーク１１の半径寸法の設定を説明する便宜上、一点鎖線により、基準円１４と同じ半径寸法ｒの仮想円１４ａを、加速度情報マーク１１と同心配置で示してある。
【００６９】
更に、第５の制御ルールでは、表示制御装置８は、図６（ａ）に示すように、予め、表示を望む前向きの加速度の最大値ＦＭを表示するための、加速度情報マーク１１の最大の半径寸法を、たとえば、値（ｒ＋ｆｍ）として設定しておく。
【００７０】
この状態で、前向きの加速度がゼロからＦＭの間の値Ｆａで検出されている場合は、表示制御装置８は、加速度情報マーク１１の半径寸法を、（ｒ＋ｆｍ・（Ｆａ／ＦＭ））で設定するようにしてある。
【００７１】
また、第５の制御ルールでは、表示制御装置８は、図６（ｂ）に示すように、予め、表示を望む後向きの加速度の最大値ＢＭを表示するための、加速度情報マーク１１の最小の半径寸法を、たとえば、値（ｒ−ｂｍ）として設定しておく。
【００７２】
この状態で、後向きの加速度がゼロからＢＭの間の値Ｂａで検出されている場合は、表示制御装置８は、加速度情報マーク１１の半径寸法を、（ｒ−ｂｍ・（Ｂａ／ＢＭ））で設定するようにしてある。
【００７３】
なお、前記のように表示を望む前向きの加速度の最大値ＦＭを表示する加速度情報マーク１１の最大の半径寸法の値（ｒ＋ｆｍ）を設定するのは、加速度情報マーク１１のサイズが表示部９の画面に表示可能な範囲に対して過大になって、表示不可になることを防ぐためである。
【００７４】
また、前記のように表示を望む後向きの加速度の最大値ＢＭを表示する加速度情報マーク１１の最小の半径寸法の値（ｒ−ｂｍ）を設定するのは、加速度情報マーク１１の表示部９の画面に表示されるサイズが過小になって、視認しにくくなる虞を防ぐためである。
【００７５】
なお、表示制御装置８は、前記第３の制御ルールと第４の制御ルールに従って加速度情報マーク１１の中心の位置が二次元座標１３の原点以外の位置に決められた場合、表示部９の画面には、その位置を中心とする半径寸法ｒの仮想円１４ａは、表示しなくてもよいが、実際に表示するようにしてもよい。このように仮想円１４ａを表示部９に表示した場合は、加速度情報マーク１１を仮想円１４ａと比較することで、加速度情報マーク１１の半径寸法が、基準円１４の半径寸法ｒに対して拡大、あるいは、縮小されていることを容易に視認することができる。また、二次元座標１３の原点以外の位置を中心とする仮想円１４ａを実際に表示する場合は、二次元座標１３の原点を中心とする基準円１４の表示は省略するようにしてもよい。
【００７６】
したがって、表示制御装置８からの表示指令Ｇに従い、表示部９では、図６（ａ）または図６（ｂ）に示すように、画面に、加速度情報マーク１１が、基準円１４（図１（ｂ）参照）あるいは仮想円１４ａよりも拡大された半径寸法、または、縮小された半径寸法で表示される。
【００７７】
よって、表示部９の画面にて、図６（ａ）に示すように、加速度情報マーク１１が、基準円１４（仮想円１４ａ）に比して拡大されている場合は、移動体１に前向きの加速度が生じていることが分かる。更に、図６（ａ）の表示からは、加速度情報マーク１１の半径寸法が基準円１４（仮想円１４ａ）の半径寸法ｒよりも拡大されている量の大小に応じて、移動体１に生じている前向きの加速度の大きさを推定することが可能になる。
【００７８】
また、表示部９の画面にて、図６（ｂ）に示すように、加速度情報マーク１１が、基準円１４（仮想円１４ａ）に比して縮小されている場合は、移動体１に後向きの加速度が生じていることが分かる。更に、図６（ｂ）の表示からは、加速度情報マーク１１の半径寸法が基準円１４（仮想円１４ａ）の半径寸法ｒよりも縮小されている量の大小に応じて、移動体１に生じている後向きの加速度の大きさを推定することが可能になる。
【００７９】
表示制御装置８は、以上の第１から第５の制御ルールを備えた加速度情報表示機能によれば、移動体１のスウェイ加速度Ａ、ヒーブ加速度Ｂ、サージ加速度Ｃの信号の値を基に、表示部９の画面に、加速度情報マーク１１を、スウェイ加速度Ａの値とヒーブ加速度Ｂの値に応じて設定される位置を中心とし、且つサージ加速度Ｃの値に応じて設定される半径寸法を有する円として表示することができる。
【００８０】
したがって、本実施形態の移動体の運動情報表示システムによれば、表示部９にて、移動体の３軸の加速度としてのスウェイ加速度Ａとヒーブ加速度Ｂとサージ加速度Ｃの情報を、数値に依らずに統合して表示することができる。
【００８１】
これにより、オペレータは、表示部９の画面に表示された加速度情報マーク１１の中心の位置について、二次元座標１３の原点に対する相対的な配置を目視することで、移動体１のスウェイ加速度Ａとヒーブ加速度Ｂについて、それぞれ加速度の有無、加速度の向き、加速度の大きさを容易に把握することができる。
【００８２】
また、オペレータは、表示部９の画面に表示された加速度情報マーク１１のサイズについて、基準円１４のサイズとの大小関係、仮想円１４ａを表示する場合は仮想円１４ａのサイズとの大小関係を目視することで、サージ加速度Ｃの有無、加速度の向き、加速度の大きさを容易に把握することができる。
【００８３】
たとえば、表示部９の画面の表示が、図１（ｂ）のような状態であるときには、加速度情報マーク１１の中心の位置が、二次元座標１３の原点より左上方向にシフトした配置となっていることから、移動体１には、右向きの加速度と、下向きの加速度が生じていることが容易に把握することができる。更に、加速度情報マーク１１の中心の位置が二次元座標１３の原点に対して左方向にシフトしている量の情報からは、移動体に生じている右向きの加速度の大きさを推定することができる。同様に、加速度情報マーク１１の中心の位置が二次元座標１３の原点に対して上方向にシフトしている量の情報からは、移動体に生じている下向きの加速度の大きさを推定することができる。
【００８４】
また、図１（ｂ）の表示では、加速度情報マーク１１のサイズが、基準円１４のサイズと同等であることから、移動体１には、サージ加速度Ｃは生じていない、ということを容易に把握することができる。
【００８５】
本実施形態では、表示部９の画面に表示される加速度情報マーク１１は、移動体１のスウェイ加速度Ａ、ヒーブ加速度Ｂ、サージ加速度Ｃの信号の値がすべてゼロの場合は、図２に示したように、基準円１４に重なって表示されているが、この状態から、移動体１にスウェイ加速度Ａやヒーブ加速度Ｂが生じると、表示部９の画面上では、加速度が生じた向きとは逆方向に加速度情報マーク１１が変位する。
【００８６】
また、図２に示した状態から、移動体１に前向きの加速度が生じると、表示部９の画面上では、加速度情報マーク１１の円が拡径する。一方、図２に示した状態から、移動体１に後向きの加速度が生じると、表示部９の画面上では、加速度情報マーク１１の円が縮径する。
【００８７】
このため、オペレータは、前記した表示部９の画面における加速度情報マーク１１の位置の変化とサイズの変化を、あたかも、仮想のリングが自分の前に正対して自分と同じ慣性を有する状態で存在している状況から、自分にだけ移動体１と同様のスウェイ加速度Ａ、ヒーブ加速度Ｂ、サージ加速度Ｃが生じた場合の前記仮想のリングの見え方の変化のように捉えることが可能になる。
【００８８】
よって、オペレータは、表示部９の画面における加速度情報マーク１１の位置の変化とサイズの変化を基に、移動体１のスウェイ加速度Ａ、ヒーブ加速度Ｂ、サージ加速度Ｃについて、より直感的に把握することが容易になる。
【００８９】
次に、表示制御装置に８における角速度情報表示機能について説明する。
【００９０】
表示制御装置８は、加速度情報表示機能では、通信装置７を介して受け取るヨー角速度Ｄ、および、ピッチ角速度Ｅの信号を基に、以下の第６の制御ルールに従って、第１の角速度情報マーク１２ａの形状を設定する。更に、表示制御装置８は、第１の角速度情報マーク１２ａの形状の設定が終了すると、表示部９に、第１の角速度情報マーク１２ａを設定された形状で画面に表示する表示指令Ｇを与える。
【００９１】
また、表示制御装置８は、通信装置７を介して受け取るロール角速度Ｆの信号を基に、後述する第７の制御ルールに従って、図１（ｂ）、図８に示す第２の角速度情報マーク１２ｂの表示角度を設定する。更に、表示制御装置８は、第２の角速度情報マーク１２ｂの表示角度の設定が終了すると、表示部９に、第２の角速度情報マーク１２ｂを設定された表示角度で画面に表示する表示指令Ｇを与えるようにしてある。
【００９２】
第６の制御ルールでは、表示制御装置８は、ヨー角速度Ｄの信号と、ピッチ角速度Ｅの信号を受け取ると、先ず、ヨー角速度Ｄとピッチ角速度Ｅとを合成する計算を行い、移動体１の前後方向であるロール軸方向の向きが変わる回頭方向と、その回頭方向に関する角速度とを算出する。説明の便宜上、前記算出された回頭方向、および、その回頭方向に関する角速度は、以下、回頭方向Ｈ、角速度Ｉと表示する。
【００９３】
一例として、移動体１に、ヨー角方向に関しては右向き（右回り）のヨー角速度Ｄが生じ、ピッチ角方向に関しては下向き（前下がり方向）のピッチ角速度Ｅが生じている場合、移動体１の回頭方向Ｈは、右斜め下向きとなる。なお、これは一つの組み合わせの例であり、移動体１のヨー角速度Ｄの右向き、左向きと、ピッチ角速度Ｅの上向き、下向きは、自在に組み合わせて合成できること、および、ヨー角速度Ｄとピッチ角速度Ｅの値の比は、任意の比でよいこと、は勿論である。
【００９４】
この際、ピッチ角速度Ｅの信号の値がゼロの場合は、前記合成計算で得られる移動体１の回頭方向Ｈとその角速度Ｉの結果は、ヨー角速度Ｄに一致する。
【００９５】
同様に、ヨー角速度Ｄの値がゼロの場合は、前記合成計算で得られる移動体１の回頭方向Ｈとその角速度Ｉの結果は、ピッチ角速度Ｅに一致する。
【００９６】
次に、表示制御装置８は、図７（ａ）（ｂ）（ｃ）に示すように、前述した加速度情報表示機能によって中心の位置とサイズが決定された円形の加速度情報マーク１１を基準として、前記合成計算で得た移動体１の回頭方向Ｈとその角速度Ｉの結果を基に、楕円形の第１の角速度情報マーク１２ａを生成する。この第１の角速度情報マーク１２ａを生成する規則は、後述する。
【００９７】
なお、表示制御装置８の加速度情報表示機能では、設定される加速度情報マーク１１の中心の位置は、スウェイ加速度Ａ、ヒーブ加速度Ｂの信号の値に応じて異なる位置を取り得るものであり、また、加速度情報マーク１１のサイズも、サージ加速度Ｃの信号の値に応じて異なる半径寸法を取り得るものである。そのため、図７（ａ）（ｂ）（ｃ）では、加速度情報表示機能で設定された中心の位置とサイズを備える円形の加速度情報マーク１１については、中心の位置を座標（ｘ１，ｙ１）で代表して示すと共に、表示部９の画面における座標（ｘ１，ｙ１）の周辺となる部分のみを、切り出して図示してある。また、加速度情報マーク１１のサイズは、直径の寸法の値をｄ１で代表して示してある。この場合、加速度情報マーク１１の直径の寸法ｄ１は、移動体１のサージ加速度Ｃの値に応じて、基準円１４の直径の値（２ｒ）に対し、同じ値、より大きい値、より小さい値のいずれも取り得る。
【００９８】
表示制御装置８は、第１の角速度情報マーク１２ａを生成する場合は、先ず、図７（ａ）に示すように、加速度情報マーク１１について、前記合成計算で得た移動体１の回頭方向Ｈに沿う方向の直径１５を特定する。なお、図７（ａ）は、回頭方向Ｈが、二点鎖線で示す如き右斜め下向きの場合について示してある。
【００９９】
次に、表示制御装置８は、図７（ａ）に示すように、長径の寸法が加速度情報マーク１１の直径の寸法ｄ１と同様で、且つ角速度Ｉの値が大きくなるに従って短径の寸法が小さくなり、更に、短径の方向が回頭方向Ｈに平行な楕円形として、第１の角速度情報マーク１２ａを生成する。
【０１００】
この際、表示制御装置８は、第１の角速度情報マーク１２ａの楕円形の短径の寸法については、表示を望む角速度Ｉの最大値ＩＭを表示する場合の短径の最小値ｉｍを、予め設定しておく。
【０１０１】
この状態で、表示制御装置８は、角速度ＩがゼロからＩＭの間の値Ｉａとなっている場合は、第１の角速度情報マーク１２ａの短径の寸法を、（ｄ１−（ｄ１−ｉｍ）×（Ｉａ／ＩＭ））で設定するようにしてある。
【０１０２】
なお、第１の角速度情報マーク１２ａは、短径の最小値ｉｍがゼロに設定されていてもよい。この場合は、角速度Ｉの値がＩＭ以上になると、第１の角速度情報マーク１２ａは、加速度情報マーク１１の前記所定の直径１５に対して直交する直線になる。
【０１０３】
更に、表示制御装置８は、以上の処理により楕円形が決まる第１の角速度情報マーク１２ａについて、図７（ａ）に示すように、第１の角速度情報マーク１２ａの短径における回頭方向Ｈとは逆側の端部の位置が、加速度情報マーク１１の前記所定の直径１５における回頭方向Ｈとは逆側の端部に重なるように、位置を定める。
【０１０４】
この際、前記したように、ピッチ角速度Ｅの信号の値がゼロの場合は、移動体１の回頭方向Ｈとその角速度Ｉの結果は、ヨー角速度Ｄに一致する。よって、この場合、たとえば、ヨー角速度Ｄが右向きに生じている場合は、図７（ｂ）に示すように、第１の角速度情報マーク１２ａは、左端が、加速度情報マーク１１の左端に重なる配置となる。
【０１０５】
また、前記したように、ヨー角速度Ｄの値がゼロの場合は、移動体１の回頭方向Ｈとその角速度Ｉの結果は、ピッチ角速度Ｅに一致する。よって、この場合、たとえば、ピッチ角速度Ｅが下向きに生じている場合は、図７（ｃ）に示すように、第１の角速度情報マーク１２ａは、上端が、加速度情報マーク１１の上端に重なる配置となる。
【０１０６】
したがって、表示制御装置８からの表示指令Ｇに従い、表示部９では、図７（ａ）（ｂ）（ｃ）に示すように、画面に、加速度情報マーク１１に付属して第１の角速度情報マーク１２ａが表示される。
【０１０７】
第７の制御ルールでは、表示制御装置８は、ロール角速度Ｆの信号の値がゼロの場合は、たとえば、図８に示すように、表示部９の画面に、二次元座標１３の座標軸上に配置されるよう角度姿勢を定めた第２の角速度情報マーク１２ｂを表示させる。説明の便宜上、このときの第２の角速度情報マーク１２ｂの状態を、初期状態という。
【０１０８】
移動体１に、ロール角方向に関して左向きのロール角速度Ｆが生じている場合は、表示制御装置８は、図８に一点鎖線で示すように、第２の角速度情報マーク１２ｂを、二次元座標１３の原点を中心に初期状態よりも左方向、すなわち、反時計回り方向に回転させた角度姿勢に設定する。
【０１０９】
一方、移動体１に、ロール角方向に関して右向きのロール角速度Ｆが生じている場合は、表示制御装置８は、図８に二点鎖線で示すように、第２の角速度情報マーク１２ｂを、二次元座標１３の原点を中心に初期状態よりも右方向、すなわち、時計回り方向に回転させた角度姿勢に設定する。
【０１１０】
なお、表示制御装置８は、ロール角速度Ｆが左向きまたは右向きに生じている場合の角速度の大きさと、第２の角速度情報マーク１２ｂを初期状態から左右へ回転させた角度姿勢とする場合の回転角度とは、相関性を持たせている。
【０１１１】
したがって、表示制御装置８からの表示指令Ｇに従い、表示部９では、図１（ｂ）や図８のように、画面に、第２の角速度情報マーク１２ｂが、移動体１のロール角速度Ｆの値に応じた角度姿勢で表示される。
【０１１２】
したがって、本実施形態の移動体の運動情報表示システムによれば、表示部９にて、移動体の３軸の角速度としてのヨー角速度Ｄとピッチ角速度Ｅとロール角速度Ｆの情報を、数値に依らずに表示することができる。
【０１１３】
これにより、オペレータは、表示部９の画面に表示された第１の角速度情報マーク１２ａが加速度情報マーク１１に接している位置と、第１の角速度情報マーク１２ａの加速度情報マーク１１に比して扁平している量を目視することで、移動体１の回頭方向Ｈと、その方向への角速度Ｉを容易に把握することができる。また、オペレータは、この回頭方向Ｈと角速度Ｉの左右方向成分と上下方向成分の比率を推定することにより、移動体１のヨー角速度Ｄと、ピッチ角速度Ｅについて、それぞれの有無、向き、大きさを容易に推定することができる。
【０１１４】
また、オペレータは、表示部９の画面に表示された第２の角速度情報マーク１２ｂの角度姿勢を目視することにより、移動体１のロール角速度Ｆの有無、方向、大きさを容易に把握することができる。
【０１１５】
たとえば、表示部９の画面の表示が、図１（ｂ）のような状態であるときには、第１の角速度情報マーク１２ａからは、移動体１に右斜め下向きの回頭方向Ｈについて角速度Ｉが生じていることが分かる。また、この回頭方向Ｈの角速度は、左右方向成分が上下方向成分に比して大きいので、移動体１には、ヨー角方向の右向きに、ピッチ角方向の下向きよりも大きな角速度が生じていることが分かる。
【０１１６】
また、図１（ｂ）における第２の角速度情報マーク１２ｂからは、移動体１にロール角方向の右向きの角速度が生じていることが分かる。
【０１１７】
したがって、水中を遊泳する形式の移動体１を遠隔操作して、ホバリングによる定点保持や、移動を行わせるときに、移動体１の使用環境に時間の経過に伴い変化する水の流れや、場所ごとに異なる水の流れが存在していると、移動体１には、意図しない左右方向、上下方向、前後方向の加速度が生じるが、本実施形態の移動体の運動情報表示システムによれば、そのような加速度の変化を、オペレータが把握し易くすることができる。
【０１１８】
更に、ケーブル１０が接続されている形式の移動体１では、遠隔操作による移動体１の移動時に、ケーブル１０が障害物に接触したり、障害物に引っ掛かりを生じたりすると、移動方向とは逆方向の加速度が生じるが、本実施形態の移動体の運動情報表示システムを用いることで、そのような加速度の変化も、オペレータが捉えやすくすることができる。
【０１１９】
よって、本実施形態の移動体の運動情報表示システムを用いることにより、遠隔操作によって移動体の位置や運動を制御する場合について、制御性の向上化を図る効果も期待できる。
【０１２０】
なお、本発明は、前記実施形態にのみ限定されるものではない。
【０１２１】
たとえば、加速度情報マーク１１は、円形とする例を示したが、多角形であってもよい。この場合、第１の角速度情報マーク１２ａは、加速度情報マーク１１を扁平させた形状とすればよい。
【０１２２】
また、第２の角速度情報マーク１２ｂは、表示部９の画面にて、二次元座標１３の原点を中心とする左右方向への回転による角度姿勢の変化を容易に把握することができれば、多角形やその他、任意の形状であってもよい。
【０１２３】
表示制御装置８は、表示部９の画面に設定された二次元座標１３にて、加速度情報マーク１１の中心の位置を、移動体１のスウェイ加速度Ａに対応してＸ軸方向に変位させる機能を備えていれば、加速度情報マーク１１の中心の位置を、移動体１のスウェイ加速度Ａの左向き、右向きと同方向に変位させる処理を行うものとしてもよい。
【０１２４】
表示制御装置８は、表示部９の画面に設定された二次元座標１３にて、加速度情報マーク１１の中心の位置を、移動体１のヒーブ加速度Ｂに対応してＹ軸方向に変位させる機能を備えていれば、加速度情報マーク１１の中心の位置を、移動体１のヒーブ加速度Ｂの上向き、下向きと同方向に変位させる処理を行うものとしてもよい。
【０１２５】
表示制御装置８は、表示部９の画面にて、加速度情報マーク１１のサイズを、移動体１のサージ加速度Ｃに対応して拡大、縮小する機能を備えていれば、移動体１に前向きの加速度が生じたときに加速度情報マーク１１のサイズを縮小し、移動体１に後向きの加速度が生じたときに加速度情報マーク１１のサイズを拡大する処理を行うものとしてもよい。
【０１２６】
表示制御装置８は、表示部９の画面に、加速度情報マーク１１と共に、各角速度情報マーク１２ａ，１２ｂを表示する機能を備えることが好ましいが、角速度情報マーク１２ａまたは角速度情報マーク１２ｂのいずれか一方、または、双方の表示機能を省略してもよい。この場合であっても、本発明の移動体の運動情報表示システムは、移動体の３軸の加速度の情報を、数値に依らずに統合して表示することができる、という効果を得ることが可能である。
【０１２７】
表示部９には、移動体１に搭載された撮像装置で撮影された映像を、加速度情報マーク１１、各角速度情報マーク１２ａ，１２ｂ、二次元座標１３、基準円１４、仮想円１４ａに重畳して表示してもよい。このようにすれば、オペレータは、移動体１に搭載された撮像装置で撮影された映像を見ながら、移動体１に生じる３軸方向の加速度や３軸方向の角速度の情報を容易に把握することが可能になる。
【０１２８】
移動体１側の通信装置５と、遠隔操作装置６側の通信装置７は、互いに通信を行うことができれば、ケーブル１０を介した有線での通信方式に代えて、音響通信や無線通信や光通信、その他任意の通信方式を採用してもよい。
【０１２９】
図１（ａ）に示した移動体１の形状や構成は、一例であり、本発明の移動体の運動情報表示システムを適用する移動体１の形状や構成は、変更してよい。
【０１３０】
本発明の移動体の運動情報表示システムは、３次元空間を移動する形式の移動体であれば、空中を飛行する形式の移動体や、その他、水中を遊泳する形式の移動体１以外の任意の形式の移動体に適用してもよい。
【０１３１】
その他本発明の要旨を逸脱しない範囲内で種々変更を加え得ることは勿論である。
【符号の説明】
【０１３２】
１  移動体、３  加速度センサ、４  角速度センサ、５  通信装置、６  遠隔操作装置、７  通信装置、８  表示制御装置、９  表示部、１１  加速度情報マーク、１２ａ  第１の角速度情報マーク（角速度情報マーク）、１２ｂ  第２の角速度情報マーク（別の角速度情報マーク）、１３  二次元座標、Ａ  スウェイ加速度（加速度）、Ｂ  ヒーブ加速度（加速度）、Ｃ  サージ加速度（加速度）、Ｄ  ヨー角速度（角速度）、Ｅ  ピッチ角速度（角速度）、Ｆ  ロール角速度（角速度）、Ｈ  回頭方向、Ｉ  角速度
【図１】
2019036025.tif 000003
【図２】
2019036025.tif 000004
【図３】
2019036025.tif 000005
【図４】
2019036025.tif 000006
【図５】
2019036025.tif 000007
【図６】
2019036025.tif 000008
【図７】
2019036025.tif 000009
【図８】
2019036025.tif 000010